(57)【要約】【課題】  設置スペースを小さくでき、且つ性能の維持およびコストの低減を可能にしたレーザ顕微鏡システムを提供する。【解決手段】  レーザ顕微鏡本体を支持する除振台に隣接して配置された操作机３の下方に出し入れ可能にレーザ発生装置７が設けられるとともに、操作机３の検鏡者側端部とレーザ発生装置７との間に、レーザ発生装置７より発生される熱、音、振動を遮断して検鏡者側への影響を遮断する隔壁８，１０が設けられる。【選択図】      図２
2005172986.tif 000002
【特許請求の範囲】
【請求項１】
レーザ顕微鏡本体を支持する顕微鏡支持台と、
前記顕微鏡支持台に隣接して配置され、少なくとも前記レーザ顕微鏡本体の操作手段が設けられた操作机と、
前記操作机の下方に出し入れ可能に配置されたレーザ発生装置と、
前記操作机の検鏡者側端部と前記レーザ発生装置との間に配置され、前記レーザ発生装置による前記検鏡者側への影響を遮断する遮断手段と
を具備したことを特徴とするレーザ顕微鏡システム。
【請求項２】
前記レーザ発生装置は、移動可能な載置台上に載置され、前記操作机の下方に出し入れ可能にしたことを特徴とする請求項１記載のレーザ顕微鏡システム。
【請求項３】
前記レーザ発生装置を載置する載置台は、前記操作机の下方に出し入れ可能な移動手段に設けられたことを特徴とする請求項１記載のレーザ顕微鏡システム。
【請求項４】
前記遮断手段は、前記載置台に設けられる隔壁からなり、前記載置台の前記操作机の下方への出し入れにより前記操作台の検鏡者側端部と前記レーザ発生装置との間に配設可能としたことを特徴とする請求項１または２記載のレーザ顕微鏡システム。
【請求項５】
前記遮断手段は、開閉手段からなり、前記載置台の前記操作机の下方への出し入れにより前記操作台の検鏡者側端部と前記レーザ発生装置との間で開閉可能としたことを特徴とする請求項１または３記載のレーザ顕微鏡システム。
【発明の詳細な説明】
【技術分野】
【０００１】
本発明は、レーザ発振器を備えたレーザ顕微鏡システムに関するものである。
【背景技術】
【０００２】
レーザ顕微鏡は、例えば、共焦点レーザ顕微鏡、全反射蛍光顕微鏡、レーザスキャニングサイトメータなどの多方面の分野に用いられている。
【０００３】
このようなレーザ顕微鏡は、レーザ光源として複数のレーザ発振器を使用することがあるが、かかるレーザ顕微鏡では、複数のレーザ発振器を搭載したレーザ発生装置を専用のラックに設置し、これを顕微鏡本体を載置した除振台の近傍に設置するようにしている。
【０００４】
図７は、従来のレーザ顕微鏡システムの一般的な配置例を示すもので、顕微鏡本体１００を載置した除振台１０１の一方の脇部に、検鏡者１０７の顕微鏡操作に用いるコントローラ１０２やディスプレイ１０３を載置した操作机１０４を配置し、また、除振台１０１の他方の脇部に、レーザ発振器を複数搭載したレーザ発生装置１０５を設置した専用のラック１０６を配置するようにしている。
【０００５】
ところで、レーザ発生装置１０５に搭載されるレーザ発振器は、電気エネルギーをレーザ光に変換する際に多量の熱を放熱し、また、レーザ発振器自身が高熱にならないように発熱を空気中に放出するための冷却装置が設けられている。
【０００６】
これに対し、上述したレーザ顕微鏡システムによれば、顕微鏡本体１００とレーザ発生装置１０５が別々に配置されるので、レーザ発生装置１０５からの熱や振動が顕微鏡本体１００の観測結果に影響を与えるのを防止でき、また、検鏡者１０７とレーザ発生装置１０５の間が比較的離れているので、レーザ発振器の冷却装置からの音による検鏡者１０７への影響も無くすようにできる。
【発明の開示】
【発明が解決しようとする課題】
【０００７】
ところが、従来のレーザ顕微鏡システムのように顕微鏡本体１００の両脇に操作机１０４とレーザ発生装置１０５のラック１０６が配置される構成では、システム全体が占有する面積か大きくなるという問題を生じる。また、これら別々に配置された顕微鏡本体１００、レーザ発生装置１０５、コントローラ１０２およびディスプレイ１０３の間を接続するケーブルや光ファイバが長くなってしまい、外部ノイズの混入による性能の劣化やシステムのセットアップ時の配線作業が煩雑になりコスト的にも高価になるという問題もあった。
【０００８】
本発明は上記事情に鑑みてなされたもので、設置スペースを小さくでき、且つ性能の維持およびコストの低減を可能にしたレーザ顕微鏡システムを提供することを目的とする。
【課題を解決するための手段】
【０００９】
請求項１記載の発明は、レーザ顕微鏡本体を支持する顕微鏡支持台と、前記顕微鏡支持台に隣接して配置され、少なくとも前記レーザ顕微鏡本体の操作手段が設けられた操作机と、前記操作机の下方に出し入れ可能に配置されたレーザ発生装置と、前記操作机の検鏡者側端部と前記レーザ発生装置との間に配置され、前記レーザ発生装置による前記検鏡者側への影響を遮断する遮断手段とを具備したことを特徴としている。
【００１０】
請求項２記載の発明は、請求項１記載の発明において、前記レーザ発生装置は、移動可能な載置台上に載置され、前記操作机の下方に出し入れ可能にしたことを特徴としている。
【００１１】
請求項３記載の発明は、請求項１記載の発明において、前記レーザ発生装置を載置する載置台は、前記操作机の下方に出し入れ可能な移動手段に設けられたことを特徴としている。
【００１２】
請求項４記載の発明は、請求項１または２記載の発明において、前記遮断手段は、前記載置台に設けられる隔壁からなり、前記載置台の前記操作机の下方への出し入れにより前記操作台の検鏡者側端部と前記レーザ発生装置との間に配設可能としたことを特徴としている。
【００１３】
請求項５記載の発明は、請求項１または２記載の発明において、前記遮断手段は、開閉手段からなり、前記載置台の前記操作机の下方への出し入れにより前記操作台の検鏡者側端部と前記レーザ発生装置との間で開閉可能としたことを特徴としている。
【発明の効果】
【００１４】
本発明によれば、レーザ発生装置から発生され検鏡者側に伝わる熱、音、振動などを最小限に抑えることができ、これら熱、音、振動による検鏡者への影響を無くすことができる。
【００１５】
また、本発明によれば、システム設置のスペースを小さくでき、レーザ顕微鏡システム全体をコンパクトに構成することができる。
【００１６】
さらに、本発明によれば、外部ノイズの混入を防止することで、性能の維持を図ることができるとともに、システムのセットアップ時の配線作業も簡単になり、コスト的にも安価にできる。
【００１７】
さらに、本発明によれば、メンテナンスの際に、レーザ発生装置を操作机の前方まで簡単に引き出すことできるので、メンテナンスのし易い状態で、レーザ発生装置にアクセスすることができる。
【発明を実施するための最良の形態】
【００１８】
以下、本発明の実施の形態を図面に従い説明する。
【００１９】
（第１の実施の形態）
図１は、本発明の第１の実施の形態にかかるレーザ顕微鏡システムの概略構成を示している。図において、１はレーザ顕微鏡本体で、このレーザ顕微鏡本体１は、顕微鏡支持台としての除振台２上に載置されている。
【００２０】
レーザ顕微鏡本体１を載置した除振台２には、操作机３が隣接して配置されている。この操作机３は、図２に示すように矩形板状の作業台３１に一対の脚部３２が設けられたものである。また、作業台３１上には、顕微鏡の操作手段としてのコントローラ部４や測定結果などを表示するディスプレイ５が載置され、これらコントローラ部４の操作およびディスプレイ５の監視などを操作机３の作業台３１手前に検鏡者６が着席して行なうようになっている。
【００２１】
操作机３の下方、つまり作業台３１下方には、レーザ発生装置７が配置されている。このレーザ発生装置７は、複数のレーザ発振器（不図示）を搭載したもので、これらレーザ発振器からの発熱を放熱するための冷却装置（不図示）が設けられている。
【００２２】
図３（ａ）（ｂ）（ｃ）は、これら操作机３とレーザ発生装置７をさらに説明するための図である。
【００２３】
この場合、操作机３は、一対の脚部３２の先端部に、操作机３の前方（検鏡者６が着席する手前側）から後方に水平に延びる補助脚３２ａを有し、これら補助脚３２ａに複数のキャスタ３２ｂが設けられている。これらキャスタ３２ｂは、操作机３全体を前後左右に移動可能にするものである。また、操作机３の一対の脚部３２の間には、作業台３１下面に沿って遮断手段の一部を構成する隔壁８が設けられている。この隔壁８は、高さ寸法の小さい板状のものからなっている。
【００２４】
一方、レーザ発生装置７は、載置台９上に設けられている。この載置台９は、レーザ発生装置７を載置する載置部９ａを有し、この載置部９ａに複数の固定脚９ｂが設けられている。これら固定脚９ｂは、載置台９を安定して支持するためのものである。また、載置台９には、上述した隔壁８とともに遮断手段を構成する隔壁１０が設けられている。この隔壁１０は、板状をなすもので、図３（ａ）に示すように操作机３の一対の脚部３２の間とほぼ同じ幅寸法を有するとともに、同図（ｃ）に示すように載置台９を操作机３下方に設置したとき、作業台３１下面の隔壁８先端と当接するような高さ寸法を有している。これらの隔壁８，１０は、レーザ発生装置７から発せられる熱、音、振動などによる検鏡者への影響を遮断するもので、断熱性、防音性、防振性などの特徴を有する材料のものが用いられている。
【００２５】
このようなレーザ発生装置７を載置した載置台９（図３（ｂ）参照）は、操作机３の前方（検鏡者が着席する手前側）から操作机３下方の脚部３２の間に、図示矢印方向に押し込まれる（図３（ｃ）参照）。この状態で、操作机３下方で載置台９の位置決めを行なうと、この位置で載置台９に設けられた隔壁１０が作業台３１下面の隔壁８先端と当接し（図３（ａ）（ｃ）参照）、レーザ発生装置７による操作机３の前方（検鏡者６が着席する手前側）への熱、音、振動などの影響が遮断される。
【００２６】
従って、このようにすれば、レーザ発振器を有するレーザ発生装置７を載置台９により操作机３の下方に位置させ、載置台９側の隔壁１０と作業台３１側の隔壁８によりレーザ発生装置７を操作机３の前方（検鏡者６が着席する手前側）から隔離するようにしたので、これら隔壁８、１０によりレーザ発生装置７から発生する熱、音、振動などの影響を確実に遮断することができる。この場合、これらレーザ発生装置７から発生する熱、音、振動は、操作机３の後方から図３（ｃ）の矢印Ａ方向に放出される。これにより、レーザ発生装置７から発生され検鏡者側に伝わる熱、音、振動を最小限に抑えることができ、これら熱、音、振動による検鏡者６への影響を無くすことができる。
【００２７】
また、レーザ発生装置７を載置台９により操作机３の下方に配置する構成としたので、システム設置のスペースを小さくでき、レーザ顕微鏡システム全体をコンパクトに構成することができる。
【００２８】
さらに、レーザ発生装置７を操作机３の下方に配置することで、作業台３１上のコントローラ部４とレーザ発生装置７との間の距離を短くできるので、ケーブルや光ファイバなどの配線も短くでき、外部ノイズの混入を防止することで、性能の維持を図ることができ、さらに、システムのセットアップ時の配線作業も簡単になり、コスト的に安価にできる。
【００２９】
さらに、レーザ発生装置７が隔壁８、１０の後方に配置されることで、レーザ発生装置７から導出される配線を誤って検鏡者が足で蹴飛ばしたり、踏み付けたりして破損させるようなことを防止でき、さらには、レーザ発生装置７は、手の届かない所にあるので、誤操作するようなことも防止できる。
【００３０】
（変形例）
上述した第１の実施の形態では、レーザ発生装置７からの熱、音、振動を遮断するため、作業台３１と載置台９側にそれぞれ隔壁８、１０を設けたが、例えば、図３（ａ）（ｂ）（ｃ）と同一部分には同符号を付した図４（ａ）（ｂ）（ｃ）に示すように、レーザ発生装置７からの熱、音、振動を遮断するものとして、操作机３の作業台３１下方に、開閉手段としてロール式のシャッタ２１を設け、レーザ発生装置７を操作机３の下方に位置させた状態で、シャッタ２１を閉じるようにしてもよい。
【００３１】
このようにすれば、シャッタ２１を開放状態にしておけば、レーザ発生装置７の載置台９の移動に邪魔になることがないので、メンテナンスの際に、シャッタ２１を開放状態にしてレーザ発生装置７を操作机３の手前に移動させるだけで、レーザ発生装置７に簡単にアクセスすることができる。
【００３２】
なお、開閉手段としては、ロール式のシャッタ２１の他に、跳ね上げ式のシャッタや開閉式扉などを用いても同様な効果を得ることができる。
【００３３】
（第２の実施の形態）
次に、本発明の第２の実施の形態を説明する。この場合、第２の実施の形態が適用されるレーザ顕微鏡システムの概略構成については、上述した図１と同様なので、同図を援用するものとする。
【００３４】
図５（ａ）（ｂ）（ｃ）は、第２実施の形態の要部の概略構成を示すもので、図３（ａ）（ｂ）（ｃ）と同一部分には、同符号を付している。
【００３５】
この場合、レーザ発生装置７を載置するための載置台２２は、レーザ発生装置７を載置する載置部２２ａを有し、この載置部２２ａに複数のキャスタ２２ｂが設けられている。これらキャスタ２２ｂは、載置台２２全体を前後左右に移動可能にするものである。また、キャスタ２２ｂは、ストッパー機能（不図示）が設けられ、必要に応じてストッパを作用させることで、載置台２２の位置決めを可能にしている。
【００３６】
載置台２２には、隔壁２３が設けられている。この隔壁２３は、板状をなすもので、図５（ａ）に示すように操作机３の一対の脚部３２の間とほぼ同じ幅寸法を有するとともに、同図（ｃ）に示すように載置台２２を操作机３下方に設置したとき、作業台３１下面の隔壁８先端と当接するような高さ寸法を有している。また、載置台２２には、把手２４が設けられている。この把手２４は、載置台２２を移動させるときに使用するものである。
【００３７】
その他は、図３（ａ）（ｂ）（ｃ）と同様である。
【００３８】
このようなレーザ発生装置７を載置した載置台２２（図４（ｂ）参照）は、検鏡者が把手２４を持って操作机３の前方（検鏡者６が着席する手前側）から図示矢印方向に押し込まれる。この場合、キャスタ２２ｂの動きにより載置台２２は、操作机３下方の脚部３２の間まで移動される（図５（ｃ）参照）。この状態で、キャスタ２２ｂのストッパを作用させ、操作机３下方の所定位置に位置決めを行なうと、この位置で、、載置台２２に設けられた隔壁２３が作業台３１下面の隔壁８先端と当接し（図５（ａ）（ｃ）参照）、レーザ発生装置７による操作机３の前方（検鏡者が着席する手前側）への熱、音、振動などの影響が遮断される。
【００３９】
従って、このようにしても、第１の実施の形態と同様な効果を得ることができる。さらに、載置台２２にキャスタ２２ｂが設けられるので、メンテナンスの際に、把手２４を持って載置台２２を引き出すのみで、レーザ発生装置７とともに載置台２２を操作机３の前方（検鏡者６が着席する手前側）まで簡単に引き出すことできるので、メンテナンスのし易い状態で、レーザ発生装置７にアクセスすることができる。また、キャスタ２２ｂにストッパー機能（不図示）が設けられることで、操作机３下方での載置台２２の位置決めを確実に行なうことができる。
【００４０】
（第３の実施の形態）
次に、本発明の第３の実施の形態を説明する。この場合、第３の実施の形態が適用されるレーザ顕微鏡システムの概略構成については、上述した図１と同様なので、同図を援用するものとする。
【００４１】
図６（ａ）（ｂ）（ｃ）は、第３実施の形態の要部の概略構成を示すもので、図３（ａ）（ｂ）（ｃ）と同一部分には、同符号を付している。
【００４２】
この場合、操作机３の一対の脚部３２には、それぞれ補助脚３２ａに沿ってガイド２４１、２４２が設けられている（図６（ｃ）参照）。これらガイド２４１、２４２には、移動手段としての移動体２５が移動可能に設けられている。この移動体２５には、レーザ発生装置７が載置される載置台２６が設けられている。この場合、移動体２５には、載置台２６をさらに移動体２５の移動方向にスライドさせるスライド機構（不図示）が設けられている。
【００４３】
この場合、レーザ発生装置７からの熱、音、振動を遮断するものとして、操作机３の作業台３１下方に、開閉手段としてのロール式のシャッタ２７が設けられ、レーザ発生装置７を操作机３の下方に位置させた状態で、シャッタ２１を閉じるようにしている。
【００４４】
このようにすれば、レーザ発生装置７を載置した載置台２６（図６（ｃ）参照）を操作机３の前方（検鏡者６が着席する手前側）から後方に向けて押し込むと、図示しないスライド機構を介して載置台２２が移動体２５上を移動し、さらに、移動体２５がガイド２４１、２４２を介して移動することにより、載置台２６を操作机３下方の所定位置まで移動することができる（図６（ｂ）参照）。また、操作机３の下方に位置する載置台２６を操作机３の前方（検鏡者６が着席する手前側）に引き出すと、移動体２５がガイド２４１、２４２を介して移動し、さらに図示しないスライド機構を介して載置台２６が移動体２５上を移動することにより、レーザ発生装置７を取り出し位置まで移動することができる（図６（ｃ）参照）。
【００４５】
従って、この場合も、メンテナンスの際に、レーザ発生装置７とともに載置台２６を操作机３の前方（検鏡者６が着席する手前側）まで簡単に引き出すことできるので、メンテナンスのし易い状態で、レーザ発生装置７にアクセスすることができる。
【００４６】
なお、本発明は、上記実施の形態に限定されるものでなく、実施段階では、その要旨を変更しない範囲で種々変形することが可能である。
【００４７】
さらに、上記実施の形態には、種々の段階の発明が含まれており、開示されている複数の構成要件における適宜な組み合わせにより種々の発明が抽出できる。例えば、実施の形態に示されている全構成要件から幾つかの構成要件が削除されても、発明が解決しようとする課題の欄で述べた課題を解決でき、発明の効果の欄で述べられている効果が得られる場合には、この構成要件が削除された構成が発明として抽出できる。
【図面の簡単な説明】
【００４８】
【図１】本発明の第１の実施の形態にかかるレーザ顕微鏡システムの概略構成を示す図。
【図２】第１の実施の形態に用いられる操作机の概略構成を示す図。
【図３】第１の実施の形態の要部の概略構成を示す図。
【図４】第１の実施の形態の変形例の要部の概略構成を示す図。
【図５】本発明の第２の実施の形態の要部の概略構成を示す図。
【図６】本発明の第３の実施の形態の要部の概略構成を示す図。
【図７】従来のレーザ顕微鏡システムの概略構成を示す図。
【符号の説明】
【００４９】
１…レーザ顕微鏡本体、２…除振台
３…操作机、３１…作業台、３２…脚部
３２ａ…補助脚、３２ｂ…キャスタ
４…コントローラ部、５…ディスプレイ
６…検鏡者、７…レーザ発生装置
８．１０…隔壁、９…載置台、９ａ…載置部
９ｂ…固定脚、２１…シャッタ、２２…載置台
２２ａ…載置部、２２ｂ…キャスタ、２３…隔壁
２４…把手、２４１．２４２…ガイド
２５…移動体、２６…載置台、２７…シャッタ
【図１】
2005172986.tif 000003
【図２】
2005172986.tif 000004
【図３】
2005172986.tif 000005
【図４】
2005172986.tif 000006
【図５】
2005172986.tif 000007
【図６】
2005172986.tif 000008
【図７】
2005172986.tif 000009